(57)【要約】【課題】  強度を向上させた建築用ブラケットの支持構造を提供する。【解決手段】  柱１０の側面に支持されて柱１０よりも剛性の低い建築用パネル材１１の外側面１１ａにブラケット２０を取り付けるための支持構造であって、建築用パネル材１１及び柱１０に貫入されることにより建築用パネル材１１と柱１０とを固定するビス４３を備え、このビス４３は、建築用パネル材１１よりも高い剛性を有し、頭部４３ａが建築用パネル材１１の外側面１１ａから外方に臨んだ状態で建築用パネル材１１を貫通して柱１０に固定されており、ブラケット２０は、ビス４３の頭部４３ａに当接した状態で外側面１１ａに取り付けられている。【選択図】      図１
2005290666.tif 000002
【特許請求の範囲】
【請求項１】
柱の側面に固定されて前記柱よりも剛性の低い建築用パネル材のうち、前記柱が固定されている側面と反対側に位置する外側面に、建築用ブラケットを取り付けるための支持構造であって、
前記建築用パネル材及び前記柱に貫入されることにより前記建築用パネル材と前記柱とを固定する固定部材を備え、
この固定部材は、前記建築用パネル材よりも高い剛性を有し、端部が前記建築用パネル材の外側面から外方に臨んだ状態で前記建築用パネル材を貫通して前記柱に固定されており、
前記建築用ブラケットは、前記固定部材の端部に当接した状態で前記建築用パネル材の外側面に取り付けられている
ことを特徴とする建築用ブラケットの支持構造。
【請求項２】
請求項１記載の建築用ブラケットの支持構造において、
前記固定部材は、前記建築用ブラケットと前記建築用パネル材との当接部分のうち、前記建築用ブラケットから前記建築用パネル材に対し作用する押圧力が最も強い箇所ないしその付近において前記建築用ブラケットに対し当接する
ことを特徴とする建築用ブラケットの支持構造。
【請求項３】
請求項１又は２記載の建築用ブラケットの支持構造において、
前記固定部材は、前記建築用ブラケットの略下端に当接する位置に配置されている
ことを特徴とする建築用ブラケットの支持構造。
【請求項４】
請求項１〜３のいずれかに記載の建築用ブラケットの支持構造において、
前記建築用パネル材の外側面には、前記建築用ブラケットを着脱可能な状態で固定するベース部材が取り付けられ、
このベース部材に対し前記建築用ブラケットが着脱可能な状態で取り付けられることにより、前記建築用ブラケットが前記建築用パネル材に対し固定される
ことを特徴とする建築用ブラケットの支持構造。
【請求項５】
請求項１〜４のいずれかに記載の建築用ブラケットにおいて、
前記建築用ブラケットは、手摺を支持するものである
ことを特徴とする建築用ブラケットの支持構造。
【請求項６】
請求項１〜４のいずれかに記載の建築用ブラケットにおいて、
前記建築用ブラケットは、棚板を支持するものである
ことを特徴とする建築用ブラケットの支持構造。
【発明の詳細な説明】
【技術分野】
【０００１】
本発明は、建築物の壁面を構成する建築用パネル材の側面に取り付けられる手摺や棚板を支持するための建築用ブラケットを支持する構造に関する。
【背景技術】
【０００２】
従来、建築物の壁面に取り付けられる手摺や棚板等を支持する建築用ブラケットを前記壁面に固定する構造としては、ビス、釘等の固定部材を用いて前記建築用ブラケットと前記壁面とを固定しているのが一般的である（例えば、特許文献１）。
【特許文献１】特開平１０−１５２９６２号公報（図１）
【発明の開示】
【発明が解決しようとする課題】
【０００３】
前記壁面に関する構造としては、柱の側面に石膏ボード等のような建築用パネル材を配置し、この建築用パネル材で前記壁面を構成するものが多いが、かかる構造を採った場合、前記柱に比べて前記建築用パネル材の剛性の方が低い場合があり、このような建築用パネル材に前記建築用ブラケットを固定した場合、前記建築用ブラケットに加わる荷重に応じてこの建築用ブラケットから建築用パネル材に作用する押圧力により前記建築用パネル材が圧縮され、これによって前記建築用ブラケットが前記建築用パネル材に対しめり込んだりぐらついたりする等の事態が生ずるおそれがある。
【０００４】
そこで本発明は、かかる事態が生ずる可能性を低くし、強度を向上させた建築用ブラケットの支持構造を提供することを目的とする。
【課題を解決するための手段】
【０００５】
本発明は、柱の側面に固定されて前記柱よりも剛性の低い建築用パネル材のうち、前記柱に固定されている側面と反対側に位置する外側面に、建築用ブラケットを取り付けるための支持構造であって、前記建築用パネル材及び前記柱に貫入されることにより前記建築用パネル材と前記柱とを固定する固定部材を備え、この固定部材は、前記建築用パネル材よりも高い剛性を有し、端部が前記建築用パネル材の外側面から外方に臨んだ状態で前記建築用パネル材を貫通して前記柱に固定されており、前記建築用ブラケットは、前記固定部材の端部に当接した状態で前記建築用パネル材の外側面に取り付けられていることを特徴とする（請求項１）。
【０００６】
この構成によれば、前記柱に固定された前記固定部材は、前記建築用パネル材よりも高い剛性を有し、前記建築用ブラケットは、前記固定部材の端部に当接した状態で前記建築用パネル材の外側面に取り付けられているため、前記固定部材で前記ブラケットが前記建築用パネル材に対しめり込んだりすることを防止することが可能となる。
【０００７】
また本発明の建築用ブラケットの支持構造において、前記固定部材は、前記建築用ブラケットと前記建築用パネル材との当接部分のうち、前記建築用ブラケットから前記建築用パネル材に対し作用する押圧力が最も強い箇所ないしその付近において前記建築用ブラケットに対し当接するのがより好ましい（請求項２）。
【０００８】
この構造によれば、前記ブラケットが前記建築用パネル材に対しめり込んだりすることをより有効に防止することが可能となる。
【０００９】
なお、前記建築用ブラケットから前記建築用パネル材に対し作用する押圧力は、前記建築用ブラケットの略下端に位置する箇所に最も強く作用する可能性が高い。そこで、前記ブラケットが前記建築用パネル材に対しめり込んだりすることをさらに有効に防止する場合、前記固定部材は、前記ブラケットの略下端に当接する位置に配置されているのがより好ましい（請求項３）。
【００１０】
また本発明の建築用ブラケットの支持構造において、前記建築用ブラケットは前記建築用パネル材の外側面に直接的に取り付けたものであってもよいが、前記建築用パネル材の外側面に、前記建築用ブラケットを着脱可能な状態で固定するベース部材が取り付けられ、このベース部材に対し前記建築用ブラケットが着脱可能な状態で取り付けられることにより、前記建築用ブラケットが前記建築用パネル材に対し固定されることを特徴とするのがより好ましい（請求項４）。
【００１１】
この構成によれば、前記建築用ブラケットを着脱する際、前記建築用パネル材に対し直接的に着脱させる必要がなくなり、前記建築用パネル材に傷みが生ずることを低減できる。
【００１２】
なお、本発明の建築用ブラケットの支持構造において、前記建築用ブラケットは、手摺を支持するものであるであってもよい（請求項５）。
【００１３】
また、本発明の建築用ブラケットの支持構造において、前記建築用ブラケットは、棚板を支持するものであるであってもよい（請求項６）。
【発明の効果】
【００１４】
以上説明したように、本発明の構成によれば、前記ブラケットが前記建築用パネル材に対し、めり込んだりすることを低減することが可能となり、前記建築用ブラケットの支持構造の強度を高めることが可能となる。
【発明を実施するための最良の形態】
【００１５】
第一実施形態（図１（ａ）、図１（ｂ））
本実施形態は、本発明の実施の形態にかかる支持構造のうち、建築用ブラケットが階段等に設置される手摺を支持するための支持構造を示したものである。
【００１６】
この支持構造１の概要について説明すると、この支持構造１は、柱１０と、この柱の側面に取り付けられている建築用パネル材１１と、建築用パネル材１１の側面のうち柱１０が配置されている側面と反対側に該当する外側面１１ａに固定されるブラケット２０と、このブラケット２０を外側面１１ａに対して着脱可能に取り付けるためのベース部材３０と、これらの部材を固定するためのボルト４１及びビス４２、４３とを備えている。
【００１７】
柱１０には主に木材が使用されており、建築用パネル材１１には主に石膏ボード等が使用され、建築用パネル材１１は、柱１０よりその剛性が低い。
【００１８】
ブラケット２０は、ベース部材３０に当接する当接部２１と、手摺の棒を取り付ける取付部２２と、当接部２１と取付部２２との間に形成されるアーム２３と、当接部２１を覆うためのカバー部２４とを備えている。
【００１９】
当接部２１は、略四角形の薄板状に形成され、ボルト４１の軸部を挿入するための挿入孔２１ａが形成されている。また、当接部２１の四周辺部には、ベース部材３０に接触したときにベース部材３０が存在する方向、すなわち建築用パネル材１１の内方に向けて突出する枠状の突出部２１ｂと、ビス４３及びその頭部４３ａが貫通する大径孔２１ｃとが形成されている。
【００２０】
ベース部材３０は、略長方形の板状に形成され、外側面１１ａに当接する台座３１と、この台座３１から突出し、ブラケット２０の当接部２１と当接する膨出部３２とを有している。そして、台座３１と膨出部３２とを貫く貫通孔（図示せず）にビス４２が挿入され、このビス４２が建築用パネル材１１を貫通して柱１０に固定されている。
【００２１】
また、台座３１の略下端部にも挿入孔３３が形成され、この挿入孔３３にもビス４３が挿入されている。そして、このビス４３（固定部材）が建築用パネル材１１を貫通し、柱１０に固定されている。なお、挿入孔３３には、ビス４３の頭部４３ａを収納するためのザグリ穴が設けられている。
【００２２】
すなわち、ベース部材３０は、ビス４２、４３によって柱１０及び建築用パネル材１１に対して固定されており、これらのビス４２、４３の頭部４２ａ、４３ａ（端部）は、建築用パネル材１１の外方に臨んだ状態で配置されている。
【００２３】
そして、ブラケット２０がベース部材３０に取り付けられた状態で、前記枠状の突出部２１ｂのうちの下辺部（当接部２１の下端となる部分）がビス４３の頭部４３ａに当接するようになっている。
【００２４】
さらに、ブラケット２０の当接部２１の挿入孔２１ａに挿入されたボルト４１は、ベース部材３０のねじ孔３４に螺合することにより、ベース部材３０に対し固定される。このとき、当接部２１は膨出部３２に当接し、そのうち、当接部２１の下端部に形成された突出部２１ｂは、台座３１の挿入孔３３内に挿入されたビス４３の頭部４３ａ、すなわちビス４３の端部に当接する。
【００２５】
また、このボルト４１をねじ孔３４に対し着脱させることにより、ブラケット２０は、ベース部材３０に対し着脱する。
【００２６】
ボルト４１及びビス４２、４３は主にステンレス等のような建築用パネル材１１よりも剛性が高い素材で形成されている。そして、前述のとおり、ボルト４１はブラケット２０とベース部材３０とを固定し、ビス４２及びビス４３は、ベース部材３０を柱１０及び建築用パネル材１１に対し固定する。
【００２７】
そして、このブラケット２０及びベース部材３０を柱１０及び建築用パネル材１１に取り付ける手順としては、まず、ブラケット２０とベース部材３０とをボルト４１で結合し、この状態でベース部材３０を建築用パネル材１１の外側面１１ａに接触させ、当接部２１からビス４２を挿入してこのブラケット２０及びベース部材３０を建築用パネル材１１及び柱１０に固定する。次にボルト４１を挿入孔２１ａ及びねじ孔３４から取り外してブラケット２０をベース部材３０から取り外す。その後、挿入孔３３にビス４３に挿入し、このビス４３を建築用パネル材１１に対し貫通させて柱１０に固定される状態とする。最後に、一度取り外したブラケット２０をボルト４１を用いて再度ベース部材３０に取り付けることにより、ベース部材３０を介してブラケット２０を柱１０及び建築用パネル材１１に対し固定する。
【００２８】
このような構成を採ると、前記柱１０に固定されたビス４３は、前記建築用パネル材１１よりも高い剛性を有し、前記ブラケット２０の突出部２１ｂがビス４３の頭部４３ａに当接した状態で、ブラケット２０が建築用パネル材１１の外側面１１ａに取り付けられているため、このビス４３で、ブラケット２０が建築用パネル材１１に対しめり込む等の事態が生ずることを防止することが可能となる。
【００２９】
また、本実施形態の構成によればブラケット２０から建築用パネル材１１に対し作用する押圧力は、ブラケット２０の当接部２１の略下端に最も強く作用する可能性が高い。そこで、本実施形態のように、当接部２１の略下端に存在する突出部２１ｂをビス４３に対し接触させることにより、このブラケット２０が建築用パネル材１１に対しめり込んだりすることをより有効に防止ことが可能となる。
【００３０】
さらに、ブラケット２０は、外側面１１ａに取り付けられたベース部材３０に着脱可能に取り付けられ、ねじ孔３４をブラケット２０及びベース部材３０に対し着脱させることにより、ブラケット２０をベース部材３０に対し着脱させることが可能となる。
【００３１】
したがって、このブラケット２０を柱１０及びブラケット２０に対し繰り返し着脱させている間に柱１０及び建築用パネル材１１を痛めるという事態が生ずることを阻止することが出来る。
【００３２】
なお、突出部２１ｂの下辺部は、必ずしも当接部２１の下端に形成する必要はなく、下端よりも若干上方に形成してもよい。すなわち当接部２１は、略下端に形成されたものであり、この当接部２１がビス４３の頭部４３ａに対し当接するものであればよい。
【００３３】
また本発明は、必ずしも、ブラケット２０をベース部材３０に対し着脱可能にする構成にする必要はない。例えば、ブラケット２０をベース部材３０に一度取り付けると、この取り付け状態が完全に維持されてブラケット２０をベース部材３０から取り外すことが出来ないような構成にしたり、ブラケット２０とベース部材３０とが一体に成形された構成にしたりすることも可能である。
【００３４】
以上、本発明の実施形態について説明したが、本発明の具体的構成は前記実施形態に限定されず、特許請求の範囲内で種々変更可能である。以下に他の実施形態について例示する。なお、以下に記載した実施形態において、前記実施形態と同構成のものについては、同一符号を付するのみとし、その詳細な説明は省略する。
【００３５】
第二実施形態（図２（ａ）、図２（ｂ））
本実施形態は、前記ベース部材３０を使用しない形態を示したものである。
【００３６】
ブラケット２０は、既述の実施形態と同様、当接部２１と、取付部２２と、アーム２３と、カバー部２４とを有している。ただし、当接部２１は、略円形の板状に形成され、カバー部２４も、当接部２１の形状に合わせて円形の蓋状に形成されている。なお、カバー部２４には、アーム２３を通すための切欠部２４ａが形成されている。
【００３７】
また、当接部２１は、当接部２１に形成された挿入孔２１ａにビス４４が挿入されることにより、建築用パネル材１１に対し直接的に当接した状態で固定されている。
【００３８】
さらに、ビス４３は、その頭部４３ａが建築用パネル材１１の外方に臨んだ状態で建築用パネル材１１を貫通し、柱１０に対し固定されている。そして、当接部２１の下端がビス４３の頭部４３ａに対し当接されている。
【００３９】
このような構成を採っても、前記ブラケット２０の突出部２１ｂがビス４３の頭部４３ａに当接した状態で、ブラケット２０が建築用パネル材１１の外側面１１ａに取り付けられているため、このビス４３で、ブラケット２０が建築用パネル材１１に対しめり込む等の事態が生ずることを防止することが可能となる。
【００４０】
第三実施形態（図３（ａ）、図３（ｂ））
本実施形態は、本発明の実施の形態にかかる支持構造のうち、棚板５０を支持するための支持構造を示したものである。
【００４１】
この実施形態におけるベース部材３０は、基板３５と突出部３６ａ、３６ｂと備えている。
【００４２】
基板３５は、一方向に延びる板状に形成され、略水平方向に伸びる状態で建築用パネル材１１の外側面１１ａ上に配置されている。突出部３６ａ、３６ｂは、基板３５の上端及び下端部に形成され、この基板３５が延びる方向と垂直をなす方向、すなわち図３（ｂ）において左右方向に突出している。さらに、この基板３５には挿入孔３７が形成されている。
【００４３】
ブラケット２０は、棚板５０を支持するものであって、背面板２５と傾斜板２６と突出部２７と、側面カバー２８とを備えている。
【００４４】
背面板２５は、一方向に延びる板状に形成され、基板３５の突出部３６ａ、３６ｂに対し当接するようになっている。傾斜板２６は、背面板２５の下端部から図３（ｂ）において左斜め上方に向けて延びるように形成され、その上端部分が棚板５０に当接されるようになっている。突出部２７は、背面板２５の下端部から、図３（ｂ）において右方向に向けて延び、その先端が建築用パネル材１１に当接されるようになっている。側面カバー２８は、略直角三角形の形状を有する本体部２８ａと、その直角部分から図３（ａ）において上方に突出する突出部２８ｂとを有し、背面板２５、傾斜板２６、及び突出部２７の側面を覆うようになっている。
【００４５】
そして、ビス４３は、第二実施形態と同様、その頭部４３ａが建築用パネル材１１の外方に臨んだ状態で建築用パネル材１１を貫通し、柱１０に対し固定されている。
【００４６】
そして、ベース部材３０の挿入孔３７にビス４２が挿入され、このビス４２が建築用パネル材１１を貫通し、柱１０に対し固定されることにより、ベース部材３０が建築用パネル材１１の外側面１１ａに対し固定される。このとき、基板３５の下端に形成された突出部３６ｂは、ビス４３の頭部４３ａに対し当接している。
【００４７】
また、ブラケット２０の背面板２５がベース部材３０の突出部３６ａ、３６ｂに対し当接し、突出部２７が建築用パネル材１１に対し当接した状態で、ブラケット２０はベース部材３０に対し固定されている。なお、ブラケット２０とベース部材３０との固定は、図示していないが、ボルト等によって行われる。
【００４８】
さらに、棚板５０が背面板２５の側面及び傾斜板２６の上端に当接し、この棚板５０がビス等によって背面板２５及び傾斜板２６に対し固定されることにより棚板５０がブラケット２０に対し固定される。
【００４９】
また、側面カバー２８が、背面板２５、傾斜板２６、及び、突出部２７の両端を覆うことにより、ブラケット２０の側面が側面カバー２８により覆われる。
【００５０】
このような構成を採った場合、ベース部材３０の突出部３６ｂにブラケット２０の背面板２５が当接されているため、ブラケット２０に加わる荷重によって発生する基板３５に作用する押圧力は、突出部３６ｂに伝達されることになる。さらに、この突出部３６ｂはビス４３の頭部４３ａに当接されているため、このビス４３で、ブラケット２０及びベース部材３０が建築用パネル材１１に対しめり込む等の事態が生ずることを防止することが可能となる。
【図面の簡単な説明】
【００５１】
【図１】（ａ）は、本発明の第一実施形態のブラケットの支持構造の概要を示した斜視図、（ｂ）は、図１（ａ）の部分拡大図である。
【図２】（ａ）は、本発明の第二実施形態のブラケットの支持構造の概要を示した斜視図、（ｂ）は、図２（ａ）の部分拡大図である。
【図３】（ａ）は、本発明の第三実施形態のブラケットの支持構造の概要を示した斜視図、（ｂ）は、図３（ａ）の部分拡大図である。
【符号の説明】
【００５２】
１      支持構造
１０    柱
１１    建築用パネル材
１１ａ  外側面
２０    ブラケット（建築用ブラケット）
３０    ベース部材
４３    ビス（固定部材）
４３ａ  頭部（固定部材の端部）
５０    棚板
【図１】
2005290666.tif 000003
【図２】
2005290666.tif 000004
【図３】
2005290666.tif 000005